(57)【要約】【課題】壁下地に建築用パネルを複数連続施工する、施工開始部に使用する、建築用パネルの、高さ方向の位置決めと、厚さ方向の位置決めとを容易にする、スタート部材と壁構造を得る。【解決手段】壁下地に施工された水切部材に、スタート部材を取り付けて、前面基部の一側端を折り返した前垂部と、その前垂部を折り返した差込底と、差込底を延長した差込片とによる、差込溝を形成した建築用パネルの差込片を、前記のスタート部材の嵌合間隙に差し込み施工する、スタート部材において、建築用パネルの差込溝の最奥と、その差込片の先端との、前面基部に平行な方向の距離が、スタート部材の、嵌合片の長さの取付片方向の距離以上で、嵌合片と嵌合底とを合わせた、取付片方向の距離以下であり、壁面の厚さ方向の厚さ位置決め機能を持つスタート部材とする。【選択図】            図１
2004204654.tif 000002
【特許請求の範囲】
【請求項１】
壁下地に施工する為の固定片と、壁下地から雨水を流し出す流水面を持つ、施工された水切部材に、固定するための取付片と、その取付片から折れ曲がる、嵌合底を持ち、その先端を折り曲げた、嵌合片とからなる、嵌合間隙を持つスタート部材を取り付けて、金属板による表面材を成形し、ほぼ平坦な前面基部を構成し、その前面基部の一側端を折り返した前垂部と、その前垂部を折り返した差込底と、差込底を延長した差込片とによる、差込溝を形成した建築用パネルの差込片を、前記のスタート部材の嵌合間隙に差し込み施工する、スタート部材に関して、建築用パネルの差込溝の最奥と、その差込片の先端との、前面基部に平行な方向の距離が、前記のスタート部材の、嵌合片の長さの取付片方向の距離以上で、嵌合片と嵌合底とを合わせた、取付片方向の距離以下であり、壁面の厚さ方向の厚さ位置決め機能を持つ事を特徴とするスタート部材。
【請求項２】
前記の厚さ位置決め機能が、建築用パネルに対して、スタート部材からの反力と、建築用パネルの裏打材への壁下地からの反力による事を特徴とする、特許請求の範囲第１項記載のスタート部材。
【請求項３】
前記の厚さ位置決め機能が、建築用パネルに対して働く、スタート部材からの反力の外方側方向と下地側方向との力の、バランスによる事を特徴とする、特許請求の範囲第１項記載のスタート部材。
【請求項４】
前記の建築用パネルの前垂部と差込片に応じた、前記の水切部材に対するスタート部材の高さ位置決め機能を持ち、建築用パネルの前垂部と水切部材の流水面により、スタート部材を掩蔽する事を特徴とする、特許請求の範囲第１〜３項記載のスタート部材。
【請求項５】
前記の高さ位置決め機能が、前記の水切部材に形成した定置突起に、スタート部材に形成した浅い帯状の覆突帯に設置した据置縁を合わせる事を特徴とする、特許請求の範囲第４項記載のスタート部材。
【請求項６】
前記の高さ位置決め機能が、水切部材に形成した固定片と流水面のコーナー部に、低いクランク状の定置堤を形成し、その定置堤の固定片とのコーナーか、あるいは、流水面とのコーナーに、前記のスタート部材の嵌合底と取付片とのコーナーを乗せる事を特徴とする、特許請求の範囲第４項記載のスタート部材。
【請求項７】
前記の高さ位置決め機能が、水切部材に形成した細い紐状の定置条を形成し、その固定片とのコーナーに、前記のスタート部材の嵌合底と取付片とのコーナーを乗せる事を特徴とする、特許請求の範囲第４項記載のスタート部材。
【請求項８】
前記の高さ位置決め機能が、前記のスタート部材に形成した浅い帯状の下突帯により、前記の水切部材に形成した細い紐状の定置条を覆う事を特徴とする、特許請求の範囲第７項記載のスタート部材。
【請求項９】
前記の高さ位置決め機能が、水切部材に形成した固定片と流水面のコーナー部に、スタート部材の取付片からの嵌合片の高さ程度の、クランク状の定置堤を形成し、その定置堤の固定片とのコーナーとのコーナーに、前記のスタート部材の嵌合底と取付片とのコーナーを乗せる事を特徴とする、特許請求の範囲第４項記載のスタート部材。
【請求項１０】
前記の高さ位置決め機能が、水切部材に形成した細い紐状の定置条を形成し、前記のスタート部材に複数形成した、覆突条や下突条とにより、その定置条を覆う事を特徴とする、特許請求の範囲第４項記載のスタート部材。
【請求項１１】
特許請求の範囲第１〜１０項記載のスタート部材を使用する事を特徴とする壁構造。
【発明の詳細な説明】
【０００１】
【発明の属する技術分野】
この発明は、壁下地に建築用パネルを複数連続施工する、施工開始部に使用する、スタート部材と壁構造に関する。
【０００２】
【従来の技術】
従来、施工開始部に使用する、スタート部材には、特開平１０−１５９２９９号公報に示す、次の様な技術が知られている。
ａ．被施工面に対して外装建材を順次に下側から上側に取り付け施工するに際して、
イ．該外装建材は、薄肉の金属製の表皮材の裏側に、ポリウレタン発泡体等の軽量の裏打材を固着し、更にアルミライナー紙等の裏面材を固着し、
ロ．該外装建材の下端部には、前側と後側との、下向きの突出部から成る嵌合凹溝が形成され
ｂ．最下段の外装建材の下端部を上下方向に位置決めし、支持するスタータ金具を水切金具に取り付けるための取付構造であって
ｃ．前記スタータ金具として、金属板材をＵ字状に曲げ加工して成り、下端部に該金属板材を上向きに曲げ返して成る支持部を備えて
イ．該支持部を、該外装建材の下端部の前側と後側の下向きの突出部との間に嵌合状態に係合させ、
ロ．スタータ金具の支持部に対して、表皮材をコの字形に折り曲げて、それを裏面材により塞ぎポリウレタン発泡体等を充填して成る、該外装建材の後側の下向きの突出部を、ほぼ厚さ方向に一杯に嵌め込むことで、
ハ．以て該下端部の嵌合凹溝の奥側を、該支持部により支持する形態のものを用いる一方、
ｄ．前記水切金具として、金属板材を曲げ加工して成るものを用いるとともに、
イ．該水切金具には上下方向中間部分の所定部位を前方に水平に折り曲げ加工して成る水平な支持段部を形成し、
ｅ．該支持段部上に前記支持部を載置した状態で該スタータ金具を該水切金具に対し位置決め状態で取り付けたスタータ金具の取付構造。
【０００３】
【発明が解決しようとする課題】
従来の技術には、次の問題がある。
ａ．建築用パネルの嵌合溝の奥壁を、スタート部材の嵌合片により支持する形態のものを用いるため、高さ方向に位置決めは可能であるが、
ｂ．厚さ方向には、位置決め出来ずに、
ｃ．特開平１０−１５９２９９号公報の例では、スタータ部材の嵌合凹の隙間に対して、ほぼ一杯な厚みの建築用パネルの差込片を、嵌め込むことで、位置決めしているが、
ｄ．この様な建築用パネルと、その部材は一般に、長尺品であり、その成形のバラツキや曲がり等は避けられず、
ｅ．次のような嵌合不良の原因になり、
イ．差し込み困難や、
ロ．左右により嵌合状態のバラツキの発生等、
ｆ．建築用パネルの差込片を薄くすると、
イ．厚さ方向には、位置決め出来ずに、施工後にガタツキが発生する。
【０００４】
【課題を解決するための手段】
この発明によるスタート部材は、建築用パネルの差込溝の最奥と、その差込片の先端との、前面基部に平行な方向の距離が、スタート部材の、嵌合片の長さの取付片方向の距離以上で、嵌合片と嵌合底とを合わせた、取付片方向の距離以下であり、壁面の厚さ方向の厚さ位置決め機能を持つスタート部材とする。
【０００５】
【発明の実施の形態】
Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板、
【０００６】
Ｂ．この発明に使用される釘打ち等の固定手段は、
ａ．次に代表される、固定用具を使用する。
イ．釘
ロ．タッピングビス
ハ．ホッチキス
ニ．木ネジ
ホ．ポップリベット等
【０００７】
Ｃ．この発明に使用される裏打材は、
ａ．次に代表される発泡性樹脂に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等
【０００８】
【実施例】
発明の実施例について、次の、実施例１、実施例２、実施例３、実施例４、実施例５、実施例６、実施例７、実施例８、実施例９、及び実施例１０により、図面を参照して説明する。
【０００９】
実施例１
図１，図２，図３，図４，及び図５は、この発明の実施例１を示すものである。
【００１０】
Ａ．図３に示す、実施例１においての水切部材２は、
ａ．長尺の金属板５を成形して、
ｂ．その一側端を表面側に折り返した、定置突起２ｂを持つ、ほぼ平坦な固定片２ａを形成し、
ｃ．その他側端をクランク状に表面側に折り曲げて、流水面２ｃを形成し、
ｄ．その流水面２ｃを裏面側にくの字形に折り曲げて、さらに、くの字形に表面側に折り曲げて、その先端を裏面側に折り返して、水切面２ｄを形成している。
【００１１】
Ｂ．図４に示す、実施例１においてのスタート部材３は、
ａ．長尺の金属板５を成形し、
ｂ．その一側端を裏面側に折り返した、嵌合端３ａを持つ、嵌合片３ｂを形成し、
ｃ．その嵌合片３ｂの他側端を、裏面側にくの字形に折り曲げて、嵌合底３ｃを形成し、
ｄ．その嵌合底３ｃを鋭角的に裏面側に折り曲げて、次のような取付片３ｅを形成し、
イ．その取付片３ｅの途中を、低いクランク状に裏面側に折り曲げた、据置縁３ｆを形成し、
ロ．その据置縁３ｆから取付片３ｅに平行に延長して、低いクランク状に表面側に折り曲げて、覆突帯３ｇを形成し、
ｅ．前記の、嵌合片３ｂと嵌合底３ｃと取付片３ｅとにより、嵌合間隙３ｄを形成する。
【００１２】
Ｃ．図５に示す、実施例１においての建築用パネル１は、
ａ．金属板５による表面材１ａを成形して、
ｂ．ほぼ平坦な前面基部１ｂを構成し、
ｃ．その前面基部１ｂの一側端を、
イ．裏面側に折り狭め、
ロ．さらに、クランク状に表面側に折り曲げて、前垂部１ｃを形成し、
ハ．その前垂部１ｃを、Ｕ字形に表面側に折り返し、次の差込底１ｅを形成し、
○前垂部１ｃ側の差込前底１ｋと、それに向かい合う差込後底１１とからなり、
ニ．その差込底１ｅを延長して、その先端を裏面側に折り狭めた差込片１ｆを形成し、
ホ．前垂部１ｃと差込底１ｅと差込片１ｆからなる、差込溝１ｄを形成し、
ヘ．その差込底１ｅの最奥と、その差込片１ｆの先端との、前面基部１ｂに平行な方向の距離が、
○前記のスタート部材３の嵌合片３ｂの長さ以上で、嵌合片３ｂと嵌合底３ｃとを合わせた、取付片３ｅ方向の距離以下であり、
○差込底１ｅ最奥と、前記の前垂部１ｃの先端との、前面基部１ｂに平行な方向の距離の半分程度であり、
ｄ．前記、前面基部１ｂの他側端を、
イ．二段階のクランク状に裏面側に折り曲げ、
ロ．そして、Ｕ字形に裏面側に折り曲げて、
ハ．さらに、Ｕ字形に表面側に折り返した嵌合溝１ｇと、
ニ．その嵌合溝１ｇを延長し、先端を表面側に折り狭めた釘打片１ｈを形成し、
ｅ．そして、その成形した表面材１ａの裏面側に、
イ．裏面紙１ｊにより覆われた硬質発泡樹脂６による、裏打材１ｉを形成する。
【００１３】
Ｄ．図１と図２に示す、実施例１においての、建築用パネル１とその部材の施工は、
ａ．次のように施工された下地４に、
イ．基礎４ａの上に、土台４ｂを水平に固定し、
ロ．その土台４ｂの上に、間隔を開けて柱４ｃを複数垂直に立てて、
ｂ．水切部材２を、次のように水平に取付施工し、
イ．基礎４ａから所定の間隔を開けた位置の、前記の土台４ｂの上に、水切部材２の固定片２ａの下端を位置付けて、
ロ．その固定片２ａを釘打ち等により固定し、
ｃ．その水切部材２に前記のスタート部材３を、次のように取り付け、
イ．水切部材２の定置突起２ｂの下端に、スタート部材３の据置縁３ｆを合わせて、その定置突起２ｂを、スタート部材３の覆突帯３ｇにより覆い、
ロ．そのスタート部材３の取付片３ｅを釘打ち等により固定し、
ｄ．次に、建築用パネル１を、
イ．固定したスタート部材３の嵌合間隙３ｄに、建築用パネル１の差込片１ｆを差し込み、
ロ．そのスタート部材３の嵌合端３ａが、その建築用パネル１の差込後底１１に当たり、
ハ．建築用パネル１を差し込む力と、その力の差込後底１１に対して垂直な方向成分に対する反力が加わり、下方と下地側に向かう力が建築用パネル１に対して加わり、
ニ．その差込後底１ｌに沿って、建築用パネル１が下方と下地側方向に押しつけられ、
ホ．建築用パネル１の差込片１ｆの先端が、スタート部材３の嵌合底３ｃに当たり、
ヘ．スタート部材３の嵌合端３ａと、その建築用パネル１の差込後底１１の関係と同様に、その嵌合底３ｃに沿って建築用パネル１が下方と下地側方向に押しつけられ、
ト．建築用パネル１の裏打材１ｊが、スタート部材３の取付片３ｅに押しつけられ止まり、
チ．その建築用パネル１の釘打片１ｈを釘打ち等により固定し、施工する。
【００１４】
実施例２
図３，図４，図６，図７，及び図８は、この発明の実施例２を示すものである。
【００１５】
Ａ．実施例２においての水切部材２は、図３に示す、実施例１においての水切部材２と同じ物を使用する。
【００１６】
Ｂ．実施例２においてのスタート部材３は、図４に示す、実施例１においてのスタート部材３と同じ物を使用する。
【００１７】
Ｃ．図８に示す、実施例２においての建築用パネル１は、
ａ．金属板５による表面材１ａを成形して、
ｂ．ほぼ平坦な前面基部１ｂを構成し、
ｃ．その前面基部１ｂの一側端を、
イ．裏面側に鋭角的に折り曲げて、
ロ．さらに、鋭角的に裏面側に折り曲げて、
ハ．そして、くの字形に表面側に、前垂部１ｃを形成し、
ニ．その前垂部１ｃを、Ｕ字形に表面側に折り返し、次の差込底１ｅを形成し、
○前垂部１ｃ側の差込前底１ｋと、それに向かい合う差込後底１１とからなり、
ホ．その差込底１ｅを延長して、その先端を裏面側に折り狭めた差込片１ｆを形成し、
ヘ．前垂部１ｃと差込底１ｅと差込片１ｆからなる、差込溝１ｄを形成し、
ト．その差込溝１ｄの最奥と、その差込片１ｆの先端との、前面基部１ｂに平行な方向の距離が、
○前記のスタート部材３の嵌合片３ｂの長さ以上で、嵌合片３ｂと嵌合底３ｃとを合わせた、取付片３ｅ方向の距離以下であり、
○差込底１ｅ最奥と、前記の前垂部１ｃの先端との、前面基部１ｂに平行な方向の距離の８割程度であり、
ｄ．前記、前面基部１ｂの他側端を、
イ．くの字形に裏面側に折り曲げて、次に、くの字形に表面側に折り曲げて、
ロ．そして、Ｕ字形に裏面側に折り狭めて、
ハ．さらに、Ｕ字形に表面側に折り曲げて、嵌合溝１ｇと、
ニ．その嵌合溝１ｇを延長して、先端を表面側に折り狭めた、釘打片１ｈを形成し、
ｅ．そして、その成形した表面材１ａの裏面側に、
イ．裏面紙１ｊにより覆われた硬質発泡樹脂６による、裏打材１ｉを形成する。
【００１８】
Ｄ．図６と図７に示す、実施例２においての、建築用パネル１とその部材の施工は、
ａ．実施例１と同様に施工された下地４に、
ｂ．水切部材２を、実施例１と同様に取付施工し、
ｃ．その水切部材２に前記のスタート部材３を、次のように取り付け、
イ．水切部材２の、流水面２ｃと固定片２ａとのコーナーに、スタート部材３の、嵌合底３ｃと取付片３ｅとのコーナーを乗せて、
ロ．水切部材２の定置突起２ｂを、スタート部材３の覆突帯３ｇにより覆い、
ハ．そのスタート部材３の取付片３ｅを釘打ち等により固定し、
ｄ．次に、建築用パネル１を、
イ．固定したスタート部材３の嵌合間隙３ｄに、建築用パネル１の差込片１ｆを差し込み、
ロ．そのスタート部材３の嵌合端３ａが、その建築用パネル１の差込前底１ｋに当たり、
ハ．その差込前底１ｋに沿って建築用パネル１が下方と外方側方向に押しつけられ、
ニ．建築用パネル１の差込片１ｆの先端が、スタート部材３の嵌合底３ｃに当たり、
ホ．その嵌合底３ｃに沿って建築用パネル１が下方と下地側方向に押しつけられ、
ヘ．建築用パネル１に働く、外方側方向と下地側方向との力が、バランスして止まり、
ト．その建築用パネル１の釘打片１ｈを釘打ち等により固定し、施工する。
【００１９】
実施例３
図４，図５，図９，図１０，及び図１１は、この発明の実施例３を示すものである。
【００２０】
Ａ．図１１に示す、実施例３においての水切部材２は、
ａ．長尺の金属板５を成形して、
ｂ．その一側端を表面側に折り返した、定置突起２ｂを持つ、ほぼ平坦な固定片２ａを形成し、
ｃ．その固定片２ａを、わずかに固定片２ａに対して傾斜し、延長線が定置突起２ｂ近辺で交差する堤前面２ｇを持つ、低いクランク状に表面側に折り曲げた、定置堤２ｅを形成し、
ｄ．その堤前面２ｇをクランク状に表面側に折り曲げて、流水面２ｃを形成し、
ｅ．その流水面２ｃを裏面側にくの字形に折り曲げて、さらに、くの字形に表面側に折り曲げて、その先端を表面側に折り返して、水切面２ｄを形成している。
【００２１】
Ｂ．実施例３においてのスタート部材３は、図４に示す、実施例１においてのスタート部材３と同じ物を使用する。
【００２２】
Ｃ．図５に示す、実施例３においての建築用パネル１は、実施例１と同じものである。
【００２３】
Ｄ．図９と図１０に示す、実施例３においての、建築用パネル１とその部材の施工は、
ａ．実施例１の、建築用パネル１とその部材の施工に対して、
イ．水切部材２の、定置堤２ｅと固定片２ａとのコーナーに、
ロ．スタート部材３の、嵌合底３ｃと取付片３ｅとのコーナーを乗せて施工する事が異なる。
【００２４】
実施例４
図４，図８，図１１，図１２，及び図１３は、この発明の実施例４を示すものである。
【００２５】
Ａ．実施例４においての水切部材２は、図１１に示す、実施例３においての水切部材２と同じ物を使用する。
【００２６】
Ｂ．実施例４においてのスタート部材３は、図４に示す、実施例１においてのスタート部材３と同じ物を使用する。
【００２７】
Ｃ．図８に示す、実施例４においての建築用パネル１は、実施例２と同じものである。
【００２８】
Ｄ．図１２と図１３に示す、実施例４においての、建築用パネル１とその部材の施工は、
ａ．実施例２の、建築用パネル１とその部材の施工に対して、
イ．水切部材２の、堤前面２ｇと流水面２ｃとのコーナーに、
ロ．スタート部材３の、嵌合底３ｃと取付片３ｅとのコーナーを乗せて施工する事が異なる。
【００２９】
実施例５
図５，図１４，図１５，図１６，及び図１７は、この発明の実施例５を示すものである。
【００３０】
Ａ．図１６に示す、実施例５においての水切部材２は、
ａ．実施例１においての水切部材２において、
イ．固定片２ａと流水面２ｃとのコーナーの近辺に位置し、
ロ．固定片２ａの表面側に突起する、断面小半円形の定置条２ｆを形成する。
【００３１】
Ｂ．図１７に示す、実施例５においてのスタート部材３は、
ａ．実施例１においてのスタート部材３の、嵌合底３ｃと取付片３ｅとのコーナーの近辺の、取付片３ｅの途中を、低いクランク状に裏面側に折り曲げて、さらに、低いクランク状に表面側に折り曲げて、下突帯３ｈを形成する。
【００３２】
Ｃ．図５に示す、実施例５においての建築用パネル１は、実施例１と同じものである。
【００３３】
Ｄ．図１４と図１５に示す、実施例５においての、建築用パネル１とその部材の施工は、
ａ．実施例１の、建築用パネル１とその部材の施工に対して、
イ．水切部材２の、定置条２ｆと固定片２ａとの、定置突起２ｂ側のコーナーに、
ロ．スタート部材３の、嵌合底３ｃと取付片３ｅとのコーナーを乗せて施工する事が異なる。
【００３４】
実施例６
図８，図１６，図１７，図１８，及び図１９は、この発明の実施例６を示すものである。
【００３５】
Ａ．実施例６においての水切部材２は、図１６に示す、実施例５においての水切部材２と同じ物を使用する。
【００３６】
Ｂ．実施例６においてのスタート部材３は、図１７に示す、実施例５においてのスタート部材３と同じ物を使用する。
【００３７】
Ｃ．図８に示す、実施例６においての建築用パネル１は、実施例２と同じものである。
【００３８】
Ｄ．図１８と図１９に示す、実施例６においての、建築用パネル１とその部材の施工は、
ａ．実施例２の、建築用パネル１とその部材の施工に対して、ほぼ同様で、
イ．水切部材２の定置条２ｆを、スタート部材３の下突帯３ｈが覆う。
【００３９】
実施例７
図４，図５，図２０，図２１，及び図２２は、この発明の実施例７を示すものである。
【００４０】
Ａ．図２２に示す、実施例７においての水切部材２は、
ａ．実施例３においての水切部材２の定置堤２ｅを、
イ．その固定片２ａからの堤前面２ｇの高さを、スタート部材３の嵌合片３ｂの取付片３ｅからの高さ程度に形成し、
ロ．堤前面２ｇが、固定片２ａにほぼ平行している。
【００４１】
Ｂ．実施例７においてのスタート部材３は、図４に示す、実施例１においてのスタート部材３と同じ物を使用する。
【００４２】
Ｃ．図５に示す、実施例７においての建築用パネル１は、実施例１と同じものである。
【００４３】
Ｄ．図２０と図２１に示す、実施例７においての、建築用パネル１とその部材の施工は、
ａ．実施例３の、建築用パネル１とその部材の施工に対して、ほぼ同様で、
イ．水切部材２の、定置堤２ｅと固定片２ａとのコーナーに、
ロ．スタート部材３の、嵌合底３ｃと取付片３ｅとのコーナーを乗せて施工する事が異なる。
【００４４】
実施例８
図４，図８，図２２，図２３，及び図２４は、この発明の実施例８を示すものである。
【００４５】
Ａ．実施例８においての水切部材２は、図２２に示す、実施例７においての水切部材２と同じ物を使用する。
【００４６】
Ｂ．実施例８においてのスタート部材３は、図４に示す、実施例１においてのスタート部材３と同じ物を使用する。
【００４７】
Ｃ．図８に示す、実施例８においての建築用パネル１は、実施例２と同じものである。
【００４８】
Ｄ．図２３と図２４に示す、実施例８においての、建築用パネル１とその部材の施工は、
ａ．実施例２の、建築用パネル１とその部材の施工に対して、ほぼ同様で、
イ．水切部材２の、定置堤２ｅと固定片２ａとのコーナーに、
ロ．スタート部材３の、嵌合底３ｃと取付片３ｅとのコーナーを乗せて施工する事が異なる。
【００４９】
実施例９
図５，図２５，図２６，図２７，及び図２８は、この発明の実施例９を示すものである。
【００５０】
Ａ．図２７に示す、実施例９においての水切部材２は、
ａ．実施例５においての水切部材２の定置条２ｆを、
イ．その断面を底辺を欠いた小三角形とし、固定片２ａに表面側に突起し、
ロ．その固定片２ａと流水面２ｃとのコーナーからの位置を、実施例５の定置条２ｆの２倍以上とする。
【００５１】
Ｂ．図２８に示す、実施例９においてのスタート部材３は、
ａ．実施例１のスタート部材３においての、
イ．スタート部材３の嵌合底３ｃと取付片３ｅとのコーナーから、
ロ．この実施例の水切部材２の、流水面２ｃから定置条２ｆの距離以上の、位置に、
ハ．取付片３ｅの裏面側に突起する、断面が底片を欠いた小等脚台形の、覆突条３ｉを形成し、
ニ．また、その覆突条３ｉと嵌合底３ｃとの中程の位置に、
ホ．取付片３ｅの裏面側に突起する、断面が底片を欠いた小等脚台形の、下突条３ｊを形成する。
【００５２】
Ｃ．図５に示す、実施例９においての建築用パネル１は、実施例１と同じ物である。
【００５３】
Ｄ．図２５と図２６に示す、実施例９においての、建築用パネル１とその部材の施工は、
ａ．実施例１の、建築用パネル１とその部材の施工に対して、
イ．水切部材２の定置条２ｆを、スタート部材３の下突条３ｊにより覆って施工する事が異なる。
【００５４】
実施例１０
図８，図２７，図２８，図２９，及び図３０は、この発明の実施例１０を示すものである。
【００５５】
Ａ．実施例１０においての水切部材２は、図２７に示す、実施例９においての水切部材２と同じ物を使用する。
【００５６】
Ｂ．実施例１０においてのスタート部材３は、図２８に示す、実施例９においてのスタート部材３と同じ物を使用する。
【００５７】
Ｃ．図８に示す、実施例１０においての建築用パネル１は、実施例２と同じものである。
【００５８】
Ｄ．図２９と図３０に示す、実施例１０においての、建築用パネル１とその部材の施工は、
ａ．実施例２の、建築用パネル１とその部材の施工に対して、
イ．水切部材２の定置条２ｆを、スタート部材３の覆突条３ｉにより覆って施工する事が異なる。
【００５９】
【発明の効果】
上記のような、この発明によるスタート部材と壁構造には、次の様な効果がある。
【００６０】
Ａ．建築用パネルの差込溝の最奥と、その差込片の先端との、前面基部に平行な方向の距離が、スタート部材の、嵌合片の長さの取付片方向の距離以上で、嵌合片と嵌合底とを合わせた、取付片方向の距離以下であり、壁面の厚さ方向の厚さ位置決め機能を持つスタート部材とするため、
ａ．厚さ方向の、位置決めが可能になり、
ｂ．スタータ部材の嵌合凹の隙間に対して、ほぼ一杯な厚みの建築用パネルの差込片を、嵌め込むことは不要になり、
ｃ．建築用パネルと、その部材は一般に、長尺品のための、その成形のバラツキや曲がり等による、次のような嵌合不良が回避可能になり、
イ．差し込み困難や、
ロ．左右により嵌合状態のバラツキの発生等、
ｄ．施工後にガタツキが発生することもなく、建築用パネルの差込片を薄くする事が可能になる。
【００６１】
Ｂ．建築用パネルの差込溝の最奥と、その差込片の先端との、前面基部に平行な方向の距離が、スタート部材の、嵌合片の長さの取付片方向の距離以上で、嵌合片と嵌合底とを合わせた、取付片方向の距離以下とすることにより、嵌合片が建築用パネルの差込後底に当たるとき、建築用パネルに下地側方向に押しつける力が働き、建築用パネルの裏打材が厚い場合には、その裏打材が下地に当たり反力により位置決めが可能になり、
ａ．建築用パネルの差込後底と、スタート部材の嵌合片との接触個所と、建築用パネルの差込片と、スタート部材の嵌合底の接触個所との間に、空間を形成し毛細管現象による漏水を防止出来る。
【００６２】
Ｃ．建築用パネルの差込溝の最奥と、その差込片の先端との、前面基部に平行な方向の距離が、スタート部材の、嵌合片の長さの取付片方向の距離以上で、嵌合片と嵌合底とを合わせた、取付片方向の距離以下とすることにより、嵌合片が建築用パネルの差込後底に当たるとき、建築用パネルに下地側方向に押しつける力が働き、建築用パネルの裏打材が薄い場合には、嵌合片が建築用パネルの差込後底に当たり、建築用パネルに下地側反対方向に押しつける力が発生し、バランスして位置決めが可能になる。
ａ．建築用パネルの差込前底と、スタート部材の嵌合片との接触個所と、建築用パネルの差込片と、スタート部材の嵌合底の接触個所との間に、空間を形成し毛細管現象による漏水を防止出来る。
【００６３】
Ｄ．建築用パネルの前垂部と差込片に応じた、前記の水切部材に対するスタート部材の高さ位置決め機能を持ち、建築用パネルの前垂部と水切部材の流水面により、スタート部材を掩蔽する事により、
ａ．スタート部材の色が建築用パネルの色と合わなくてもよくなり、
イ．材料と製品の種類が減少する。
ロ．在庫管理が容易になる。
【００６４】
Ｅ．高さ位置決め機能が、前記の水切部材に形成した定置突起に、スタート部材に形成した浅い帯状の覆突帯に設置した据置縁を合わせる事により、
ａ．スタート部材の形状が簡単になり、
イ．製造が容易になり、
ロ．生産性が向上する。
【００６５】
Ｆ．高さ位置決め機能が、水切部材に形成した固定片と流水面のコーナー部に、低いクランク状の定置堤を形成し、その定置堤の固定片とのコーナーか、あるいは、流水面とのコーナーに、前記のスタート部材の嵌合底と取付片とのコーナーを乗せる事により、
ａ．スタート部材の施工が上から乗せることになり、
イ．施工が容易になり、
ロ．施工性が向上する。
【００６６】
Ｇ．位置決め機能が、水切部材に形成した細い紐状の定置条を形成し、その固定片とのコーナーに、前記のスタート部材の嵌合底と取付片とのコーナーを乗せる事により、
ａ．水切部材の構造が簡単で、施工が上から乗せることになり、
イ．製造が容易になり、
ロ．生産性が向上し、
ハ．施工が容易になり、
ニ．施工性が向上する。
【００６７】
Ｈ．高さ位置決め機能が、前記のスタート部材に形成した浅い帯状の下突帯により、前記の水切部材に形成した細い紐状の定置条を覆う事をにより、
ａ．水切部材にスタート部材を安定して取付られ、
イ．施工の信頼性が向上する。
【００６８】
Ｉ．高さ位置決め機能が、水切部材に形成した固定片と流水面のコーナー部に、スタート部材の取付片からの嵌合片の高さ程度の、クランク状の定置堤を形成し、その定置堤の固定片とのコーナーとのコーナーに、スタート部材の嵌合底と取付片とのコーナーを乗せる事により、
ａ．水切部材の構造が簡単で、施工が上から乗せることになり、
イ．製造が容易になり、
ロ．生産性が向上し、
ハ．施工が容易になり、
ニ．施工性が向上する。
【００６９】
Ｊ．高さ位置決め機能が、水切部材に形成した細い紐状の定置条を形成し、スタート部材に複数形成した、覆突条や下突条とにより、その定置条を覆う事により、
ａ．水切部材にスタート部材を最適な位置に取付られ、
イ．施工の美観が向上する。
【００７０】
Ｋ．この発明による、スタート部材を使用する壁構造とする場合は、
ａ．良好な施工性の壁構造となる。
【図面の簡単な説明】
【図１】
実施例１の施工状態を示す一部省略端面図
【図２】実施例１の施工状態を示す一部省略斜視図
【図３】実施例１及び実施例２の水切部材を示す一部省略斜視図
【図４】実施例１、実施例２、実施例３、実施例４、実施例７、及び実施例８のスタート部材を示す一部省略斜視図
【図５】実施例１、実施例３、実施例５、実施例７、及び実施例９の建築用パネルを示す一部省略斜視図
【図６】実施例２の施工状態を示す一部省略端面図
【図７】実施例２の施工状態を示す一部省略斜視図
【図８】実施例２、実施例４、実施例６、実施例８、及び実施例１０の建築用パネルを示す一部省略斜視図
【図９】実施例３の施工状態を示す一部省略端面図
【図１０】実施例３の施工状態を示す一部省略斜視図
【図１１】実施例３及び実施例４の水切部材を示す一部省略斜視図
【図１２】実施例４の施工状態を示す一部省略端面図
【図１３】実施例４の施工状態を示す一部省略斜視図
【図１４】実施例５の施工状態を示す一部省略端面図
【図１５】実施例５の施工状態を示す一部省略斜視図
【図１６】実施例５及び実施例６の水切部材を示す一部省略斜視図
【図１７】実施例５及び実施例６のスタート部材を示す一部省略斜視図
【図１８】実施例６の施工状態を示す一部省略端面図
【図１９】実施例６の施工状態を示す一部省略斜視図
【図２０】実施例７の施工状態を示す一部省略端面図
【図２１】実施例７の施工状態を示す一部省略斜視図
【図２２】実施例７及び実施例８のスタート部材を示す一部省略斜視図
【図２３】実施例８の施工状態を示す一部省略端面図
【図２４】実施例８の施工状態を示す一部省略斜視図
【図２５】実施例９の施工状態を示す一部省略端面図
【図２６】実施例９の施工状態を示す一部省略斜視図
【図２７】実施例９及び実施例１０の水切部材を示す一部省略斜視図
【図２８】実施例９及び実施例１０のスタート部材を示す一部省略斜視図
【図２９】実施例１０の施工状態を示す一部省略端面図
【図３０】実施例１０の施工状態を示す一部省略斜視図
【符号の説明】
１  建築用パネル
２  水切部材
３  スタート部材
４  下地
５  金属板
６  硬質発泡樹脂
【図１】
2004204654.tif 000003
【図２】
2004204654.tif 000004
【図３】
2004204654.tif 000005
【図４】
2004204654.tif 000006
【図５】
2004204654.tif 000007
【図６】
2004204654.tif 000008
【図７】
2004204654.tif 000009
【図８】
2004204654.tif 000010
【図９】
2004204654.tif 000011
【図１０】
2004204654.tif 000012
【図１１】
2004204654.tif 000013
【図１２】
2004204654.tif 000014
【図１３】
2004204654.tif 000015
【図１４】
2004204654.tif 000016
【図１５】
2004204654.tif 000017
【図１６】
2004204654.tif 000018
【図１７】
2004204654.tif 000019
【図１８】
2004204654.tif 000020
【図１９】
2004204654.tif 000021
【図２０】
2004204654.tif 000022
【図２１】
2004204654.tif 000023
【図２２】
2004204654.tif 000024
【図２３】
2004204654.tif 000025
【図２４】
2004204654.tif 000026
【図２５】
2004204654.tif 000027
【図２６】
2004204654.tif 000028
【図２７】
2004204654.tif 000029
【図２８】
2004204654.tif 000030
【図２９】
2004204654.tif 000031
【図３０】
2004204654.tif 000032